(57)【要約】【課題】電子計算機に付属して使用する印刷機を小型で平型とし、電子計算機と表示部のいずれかを、又はその両方を並べて、該印刷機の上に置けるようにする。【解決手段】平型横長のほぼ直方体をなす外箱１の内部に紙貯蔵部９と排紙部２２を上下に重ねて設け、紙は外箱１の紙給紙口８から底面４の上に設けた紙貯蔵部９に補給され、ここから給紙部１１により長さ方向に送られる紙１０が、外箱１の一方の端面６の内側をローラやガイド等に案内されて、外箱１の上部に設けた排紙部２２に至る間に印字部１７で印字され、印字後、排紙部２２に達した紙１０は外箱１の排紙口２５を通って外へ排紙されるように構成されている。【選択図】    図４
2004181921.tif 000002
【特許請求の範囲】
【請求項１】
平型横長のほぼ直方体の外箱内に、紙貯蔵部と排紙部とを上下に重ねて配置し、紙貯蔵部から紙がその長さ方向に送られて外箱の一方の端面の内側で上又は下に導かれて排紙部に移動する過程で印字され、給紙部への紙の補給及び給紙部からの紙の排出は、外箱の前面、背面又は他方の端面に設けた紙補給口及び排紙口からそれぞれ行うことができるように構成されていることを特徴とする印刷機。
【請求項２】
外箱頂面上に、電子計算機又は表示部を、又はその両方を別個に、又は結合した形で固定するための固定装置を備えていることを特徴とする請求項１記載の印刷機。
【発明の詳細な説明】
【０００１】
【発明の属する技術分野】
本発明は、電子計算機等に付属して使用する、小型化し平型化した印刷機に関する。
【０００２】
【従来の技術及び発明が解決しようとする課題】
電子計算機等に付属して使用する印刷機は、従来多くのものは背面上部から給紙し、左右に移動する印字器により印刷して、前面下部に排紙する形のものであった。このような構造と配置をもつ従来の印刷機は、縦、横、高さとも寸法が大きく、かつ排紙部で紙が移動する空間を残す必要があるため占有する場所が大きく、電子計算機や表示部が進歩により小型化されても印刷機は小型化されなかった。そして、独立の装置として一定の場所を占有し、また、その作業性から設置場所が必ずしも自由に選べず、ために各個人が電子計算機と印刷機を机上に所有することができず、事務所などの空間利用の合理化をも妨げてきた。
【０００３】
本発明はかかる問題を解決したものであって、その目的は、印刷機の内部構造を改良することによりその形を小さく平型とし、かつ電子計算機と表示部のいずれかを、又はその両方を並べて、これの上に置けるようにすることにより、全体の形を小さくまとまったものとして、各個人が電子計算機とともに印刷機をも机上に持てるようにして、あわせて事務所等の空間利用の合理化にも寄与できる印刷機を提供することにある。
【０００４】
【課題を解決するための手段】
上記目的を達成するために、本発明の特徴とする印刷機は、印刷機の機構全体を平型横長のほぼ直方体の外箱に収設し、外箱内で紙を貯蔵する紙貯蔵部と印刷を終えた紙が出てくる排紙部は上下に重ねて配置され、下部又は上部にある紙貯蔵部から紙がその長さ方向に一枚づつ引き出されて、外箱の一方の端面の内側を上向き又は下向きにローラ等に案内されてまわり、上部又は下部の排紙部に移動する過程で外箱の上記一方の端面と平行に移動する印字器を有する印字部で印刷されるという配置として、また、紙貯蔵部への紙の供給と排紙部からの紙の排出は、外箱の前面、背面又は上記印字部のある一方の端面と反対の他方の端面から行われるように構成されている。
【０００５】
また、上記構成において、外箱の頂面上には、電子計算機又は表示部を、又はその両方を別個に、又は結合した形で、該頂面上に取り付けるための固定装置を備えていることが好ましく、その固定装置は、例えば、電子計算機又は表示部を、又はその両方を別個に、又は結合した形の状態で挟着できるように配置されている起立した舌片状のものが用いられる。
【０００６】
このように構成されている本発明の印刷機によれば、外箱の平らな頂面の上には、電子計算機か表示部を、又はその両方を並べて搭載することにより装置全体の小型化が実現し、各個人が電子計算機と印刷機の両方を机上に持つことが可能となり、また、従来印刷機が占有していた事務所内空間も不要になる。
【０００７】
【発明の実施の形態】
以下に、本発明の実施の形態を図面を参照しながら説明する。図１乃至図６において、平型横長のほぼ直方体をなす外箱１は前面２、背面３、底面４、頂面５、一方の端面６及び他方の端面７の六面からなる。前面２の下半部側には印刷用紙を補給するための横長の紙補給口８が設けられているが、これには開閉可能な蓋（図示せず）があってもよい。印刷される紙は紙補給口８から横向きにして内部へ補給され、底面４の上に設けた紙貯蔵部９に貯蔵される。
【０００８】
紙貯蔵部９の一方の端である端面６に近いところには給紙部１１があり、これが紙を長さ方向に一枚づつ引き出し、引き出された紙１０は駆動部１２を有する一組のローラ１３に挟まれ、これの回転により送り出され、半円形のガイド１４に案内されて外箱１の上半部側に至り、次の駆動部１５を有する一組のローラ１６に挟まれ、これの回転で更に送られて外箱の１の中央部に向かって移動する。ローラ１６を出た位置に印字部１７があり、印字器１８が端面６と平行かつ水平に設けたレール１９ａ，１９ｂの上を往復運動して、通過する紙１０の上に印字を行う。印字を終わった紙１０はその両縁を挟むための駆動部２０を有する二組のローラ２１ａ，２１ｂに送られ、紙貯蔵部９の上に位置する排紙部２２に至り、ここで駆動部２３を有するベルト又はローラ２４（図ではベルトを示す）により送られて、前面２の上半部側に設けられている排紙口２５から外に排出される。
【０００９】
以上説明した実施の形態は紙の補給と排出をともに外箱１の前面２の下部と上部に設けた紙補給口８と排紙口２５でそれぞれ行うようにした場合のものであるが、紙の補給と排紙は外箱１の背面３に設けた紙補給口８′と排紙口２５′でそれぞれ行ってもよく、この場合はベルト又はローラ２４の回転方向は逆になる。紙補給口を前面２と背面３の両方に設ければ、どちらからでも紙の補給が可能となり、排紙口をを前面２と背面３の両方に設けて、ベルト又はローラ２４を正逆転可能なものとすれば、排紙方向を選択できるものとなる。
【００１０】
また、紙の補給と排紙は給紙部１１及び印字部１７がない方の端面７の上下に設けた紙補給口８″と排紙口２５″によって行うことも可能であり、端面７に設けたこれらの開口によって行うように配置した装置の外観を図７に示す。この場合もベルト又はローラ２４の回転方向をこれに合わすことになる。これらの作用効果は、紙の移動方向が一部で変わるだけで、作用の本質的性質は全く変わらない。更に、上記の三通りの配置をとりまぜた形として、紙の補給を前面２又は背面３の開口から行い、排紙を端面７の開口から行うもの、並びに紙の補給を端面７の開口から行い、排紙を前面２又は背面３の開口から行うこともできるが、これらも紙の移動方向の選択の組み合わせを変えるだけのもので、作用の本質的性質は全く変わらない。
【００１１】
上記の実施の形態と、その紙の移動方向を一部変更したものは、いずれも紙貯蔵部９を外箱１の下部に設け、排紙部２２をその上部に設けたものであるが、これらを上下逆にして、上部にある紙貯蔵部から引き出された紙が印字されて下部にある排紙部に至り、ここから外部に排出される形の装置（図示せず）も可能であって、これも紙貯蔵部と排紙部を上下に重ね、前者から後者へ紙が移動する間に印字することで、作用の原理は変わらず、全体の装置を小型化かつ平型化するという本発明の目的を逸脱するものではない。
【００１２】
上記の実施の形態では、紙が下部又は上部の紙貯蔵部から給紙部を経て上部又は下部の排紙部の手前に来てから印字部を通過し、ここで印字されるようになっているが、紙が給紙部１１を経て上部又は下部に向かう途中で、一方の端面６の内側を上向き又は下向きに移動する部分に短い垂直移動部を設け、同端面６の内側に設けた印字部１７で印字する方法もあり、これを図９に示す。図９のガイド１４，１４′はほぼ円弧形であり、２１′は同軸ローラである。
【００１３】
図中、先の実施の形態のものと同一乃至は均等な部材については、それと同一の符号を用いて説明を省略する。また、給紙部と印字部とを組み合わせた一体物として実施すること（図示せず）も可能であり、その他、図９に破線で示す９′のように紙貯蔵部に傾斜を持たせ、或いは紙の供給後にこれに傾斜を与えること等も可能である。しかし、これらは具体的な設計の選択の問題であり、本発明の基本的性質と特徴を変えるものではない。
【００１４】
本発明によって構成された印刷機は、外箱１が平型横長のほぼ直方体をなしており、その頂面５の上に電子計算機本体や表示部を、又はその両方を並べて搭載すれば、印刷機を加えた小型セットが事務所の机の上に置けることになり、空間利用は著しく合理化されることになる。したがって、外箱１の頂面５の上には、電子計算機本体や表示部を個別に、又はそれらを一つに結合したものとして固定する、固定装置２６ａ，２６ｂ，２７ａ，２７ｂ等を取り付けて置くのが好ましく、これらの固定装置２６ａ，２６ｂ，２７ａ，２７ｂは、例えば起立した舌片状のもので、上記搭載物を挟着できるように配置されており、その間隔は該搭載物の寸法に応じて調整できるようにされていることは勿論である。
【００１５】
図示の場合、一方の組の固定装置２７ａ，２７ｂは外箱１の頂面５に設けた長孔を移動可能とされ、その移動位置に固定できるようにして間隔を調整するものである。なお、印字部１７の高さが高い場合、外箱１の頂面５の印字部１７直上に当たる部分は図８に示すように凸状部２８に形成する必要が生じる場合もあるが、これは本印刷機の機能を確保するための部分的な外形の変更であり、本発明の構想と効果を阻害するものではない。
【００１６】
【発明の効果】
本発明に係る印刷機は寸法が小さく、場所をとらぬ上に外形が平型横長のほぼ直方体をなしており、その頂面上に電子計算機や表示部を、又はその両方を搭載してなるセット一式を事務所の各自の机の上に置けるようになることから、従来、印刷機が占有していた事務所内の設置空間が不要になる。また、従来では電子計算機と表示部は各自が持てても、印刷機は大きさと形の関係で各自が個々に持つことは多くは困難であって、一台の印刷機を他人と共用せざるを得なかったものが、印刷機付き電子計算機を各自が机の上に持つことができるようになることから、各自の作業が他との干渉を受けることなく進められるようになり、事務所での作業能率の向上と空間利用の効率化に資すること大なるものがある。
【図面の簡単な説明】
【図１】本発明の実施の形態を示す斜視図である。
【図２】図１に示すものの平面図である。
【図３】図１に示すものの正面図である。
【図４】図２のＡ−Ａ線断面図である。
【図５】図３のＢ−Ｂ線断面図である。
【図６】図３のＣ−Ｃ線断面図である。
【図７】本発明の他の実施の形態を示す斜視図である。
【図８】図１に示すものの外箱頂面を部分的に変形した斜視図である。
【図９】図１に示すものの印字部と紙のガイドとの配置を変更した図２のＡ−Ａ線断面図である。
【符号の説明】
１は外箱、２は前面、３は背面、５は頂面、６は一方の端面、７は他方の端面、８，８′，８″は紙補給口、９，９′は紙貯蔵部、１０は紙、１１は給紙部、１７は印字部、１８は印字器、２２は排紙部、２５，２５′，２５″は排紙口、２６ａ，２６ｂ，２７ａ，２７ｂは固定装置である。
【図１】
2004181921.tif 000003
【図２】
2004181921.tif 000004
【図３】
2004181921.tif 000005
【図４】
2004181921.tif 000006
【図５】
2004181921.tif 000007
【図６】
2004181921.tif 000008
【図７】
2004181921.tif 000009
【図８】
2004181921.tif 000010
【図９】
2004181921.tif 000011